(57)【特許請求の範囲】
【請求項１】
縦方向及び横方向と、前記横方向の最大寸法を２等分する縦軸及び前記縦方向の最大寸法を２等分する横軸と、肌対向面及び非肌対向面と、吸液層とを有するパッド本体と、前記パッド本体の前記非肌対向面側に位置する止着域とを含む母乳パッドにおいて、
前記止着域は、前記吸液層の存在域において、前記縦方向へ連続して延び、かつ、前記横方向において互いに離間する複数の止着部を有し、
前記止着部の少なくとも一部が、前記縦軸と前記横軸とが交差する中心点と前記パッド本体の両側縁との中間点よりも前記横方向の外側に位置し、かつ、前記中心点と前記パッド本体の両端縁との中間点よりも前記縦方向の外側に位置し、
前記止着域は、前記止着部間に位置する離間部分を有し、
前記止着部間の前記離間部分は、第１離間部分と、前記第１離間部分の前記横方向の外側に位置する第２離間部分とを有し、前記第２離間部分の前記横方向の寸法が前記第１離間部分の前記横方向の寸法よりも大きいことを特徴とする母乳パッド。
【請求項２】
前記中心点から前記パッド本体の両端部と両側縁部とが互いに交差する隅部へ向かって延び、かつ、前記止着部のうちの前記中心点から最も離間した部位を通過して、前記パッド本体の外周縁まで延びる仮想線をさらに有し、前記仮想線上において、前記最も離間した部位から前記吸液層の外周縁までの離間寸法よりも前記吸液層の外周縁から前記パッド本体の外周縁までの離間寸法の方が大きい請求項１に記載の母乳パッド。
【請求項３】
前記離間部分の一部は、前記横方向の寸法が少なくとも５ｍｍである請求項１又は２に記載の母乳パッド。
【請求項４】
前記止着部は、前記第１及び第２離間部分よりも幅狭な第３離間部分を挟んで並列する複数の止着ラインを有する請求項１〜３のいずれかに記載の母乳パッド。
【請求項５】
前記パッド本体の外周縁と前記止着域の外周縁との離間寸法が３０ｍｍ以下である請求項１〜４のいずれかに記載の母乳パッド。
【請求項６】
前記パッド本体は、前記肌対向面側に位置する内面シート、前記非肌対向面側に位置する外面シート、前記内外面シートに介在された前記吸液層、前記吸液層と前記外面シートとの間に位置する防漏シートをさらに有し、前記中心点を中心とする仮想円内の透湿度が、少なくとも７００ｇ／ｃｍ２・２４ｈｒである請求項１〜５のいずれかに記載の母乳パッド。
【発明の詳細な説明】
【技術分野】
【０００１】
本発明は、母乳パッドに関する。
【背景技術】
【０００２】
従来、ブラジャー等の下着に取り付ける母乳パッドは、公知である。例えば、図８を参照すると、特許文献１には、吸液層１３０を有するパッド本体１２０と、パッド本体１２０の外面において、横方向の中央部において縦方向へ間隔を空けて配置された、複数の横長矩形状の止着部１４２Ａ〜１４２Ｃを有する止着域１４０とを含む母乳パッド１００が開示されている。
【先行技術文献】
【特許文献】
【０００３】
【特許文献１】特開２０１２−２１９３８３号公報（ＪＰ２０１２−２１９３８３Ａ）
【発明の概要】
【発明が解決しようとする課題】
【０００４】
特許文献１に開示された母乳パッド１００においては、止着域１４０がパッド本体１２０の横方向の中央部にのみ配置されていることから、使用後に下着から取り外す際に、容易に剥離することができる。しかしながら、パッド本体１２０の両側部に止着域１４０が位置していないことによって、着用中に位置ずれしてしまったり、着用操作中に一部が折れ曲がったりするおそれがある。特に、近年、キャミソールタイプの下着に直接母乳パッドを貼付して使用する場合があり、かかる場合には、ブラジャーと異なり、貼付される部分が安定したカップ状を有していないので、授乳後に再着用するときに、パッド本体の両側部が折れ曲がったり捲れたりするおそれがある。
【０００５】
一方、例えば、母乳パッドを安定的に止着するために、外面の全域に止着域を配置した場合には、使用後に剥離し難くなるとともに、剥離操作するときに止着部を形成する粘着剤の一部が指先に付着するおそれがある。
【０００６】
本発明は、従来の母乳パッドの改良であって、下着等に安定的に止着することができるとともに、着用操作中にパッド本体の一部が折れ曲がったり、捲れたりすることのない母乳パッドの提供を課題にしている。
【課題を解決するための手段】
【０００７】
前記課題を解決するために、本発明は、縦方向及び横方向と、前記横方向の最大寸法を２等分する縦軸及び前記縦方向の最大寸法を２等分する横軸と、肌対向面及び非肌対向面と、吸液層とを有するパッド本体と、前記パッド本体の前記非肌対向面側に位置する止着域とを含む母乳パッドに関する。
【０００８】
本発明に係る母乳パッドは、前記止着域は、前記吸液層の存在域において、前記縦方向へ連続して延び、かつ、前記横方向において互いに離間する複数の止着部を有し、前記止着部の少なくとも一部が、前記縦軸と前記横軸とが交差する中心点と前記パッド本体の両側縁との中間点よりも前記横方向の外側に位置し、かつ、前記中心点と前記パッド本体の両端縁との中間点よりも前記縦方向の外側に位置し、前記止着域は、前記止着部間に位置する離間部分を有し、前記止着部間の前記離間部分は、第１離間部分と、前記第１離間部分の前記横方向の外側に位置する第２離間部分とを有し、前記第２離間部分の前記横方向の寸法が前記第１離間部分の前記横方向の寸法よりも大きい。
【０００９】
前記中心点から前記パッド本体の両端部と両側縁部とが互いに交差する隅部へ向かって延び、かつ、前記中心点から前記止着部のうちの前記中心点から最も離間した部位を通過して前記パッド本体の外周縁まで延びる仮想線をさらに有し、前記仮想線上において、前記最も離間した部位から前記吸液層の外周縁までの離間寸法よりも前記吸液層の外周縁から前記パッド本体の外周縁までの離間寸法の方が大きいことから、パッド本体の外周縁が肌に触れても刺激を与えることはなく、かつ、剥離するときに厚みのある吸液層を摘持して引き剥がすことができるので、安定して剥離操作を行うことができる。
【００１０】
前記離間部分の一部は、前記横方向の寸法が少なくとも５ｍｍであることから、使用後に下着から剥離しやすく、かつ、透湿性が低下して、着用中にパッド内部が蒸れるのを抑制することができる。
【００１２】
前記止着部は、前記第１及び第２離間部分よりも幅狭な第３離間部分を挟んで並列する複数の止着ラインを有することから、パッド本体の柔軟性及び透湿性が向上する。
【００１３】
前記パッド本体の外周縁と前記止着域の外周縁との離間寸法が３０ｍｍ以下であることから、授乳後に再着用するときに、パッド本体の上下端部及び両側縁部の折れ曲がりや捲れ上がりを抑制することができる。
【００１４】
前記パッド本体は、前記肌対向面側に位置する内面シート、前記非肌対向面側に位置する外面シート、前記内外面シートに介在された前記吸液層、前記吸液層と前記外面シートとの間に位置する防漏シートをさらに有し、前記中心点を中心とする仮想円内の透湿度が、少なくとも７００ｇ／ｃｍ２・２４ｈｒであることから、比較的に透湿性に優れ、パッド内部が蒸れて汗疹等の肌トラブルを生じるおそれはない。
【発明の効果】
【００１５】
本発明に係る母乳パッドによれば、縦方向へ延びる止着部の一部が、縦軸と横軸とが交差する中心点とパッド本体の両側縁との中間点よりも横方向の外側に位置し、かつ、中心点とパッド本体の両端縁との中間点よりも縦方向の外側に位置することから、キャミソールタイプの下着に装着した場合であっても、パッド本体の隅部が折れ曲がったり捲れ上がったりすることはない。
【図面の簡単な説明】
【００１６】
図面は、本発明の特定の実施の形態を示し、発明の不可欠な構成ばかりでなく、選択的及び好ましい実施の形態を含む。なお、各平面図は、弾性体を縦方向及び横方向へ伸長して、その収縮によるギャザーが消失された状態である。
【図１】本発明に係る母乳パッドの一部破断斜視図。
【図２】セパレータを仮想線で示す、母乳パッドの外面側の平面図。
【図３】図２のＩＩＩ−ＩＩＩ線に沿う断面図。
【図４】パッド本体の第１区域の拡大平面図。
【図５】キャミソールタイプの下着に母乳パッドを装着した様子を示す図。
【図６】（ａ）図４に示した下着に従来の母乳パッドを装着し、授乳のために乳房を露出した様子を示す図、（ｂ）再着用操作時における従来の母乳パッドの様子を示す図、（ｃ）再着用後における従来の母乳パッドの様子を示す図。
【図７】（ａ）母乳パッドを図４に示した下着に装着したときの様子を示す図、（ｂ）再着用操作時における母乳パッドの様子を示す図、（ｃ）再着用後における母乳パッドの様子を示す図。
【図８】従来の母乳パッドの外面側の平面図。
【図９】変形例の一例における母乳パッドの外面側の平面図。
【発明を実施するための形態】
【００１７】
下記の実施の形態は、図１〜図９（図６及び図８を除く）に示す母乳パッド１０に関し、発明の不可欠な構成ばかりではなく、選択的及び好ましい構成を含む。
【００１８】
図１〜図３を参照すると、本発明の母乳パッドの一例として示す、母乳パッド１０は、縦方向Ｙ、横方向Ｘ及び厚さ方向Ｚを有し、肌対向面及びそれに対向する非肌対向面と、吸液層３０を有するパッド本体２０と、パッド本体２０の外面（非肌対向面）に位置する止着域４０とを有する。また、母乳パッド１０は、その横方向Ｘの最大寸法を２等分する縦軸Ｐと、縦方向Ｙの最大寸法を２等分する横軸Ｑとをさらに有し、縦軸Ｐに関して対称に形成されている。止着域４０は、矩形状のセパレータ７０によって被覆されている。
【００１９】
パッド本体２０は、縦方向Ｙの外側へ凸曲して横方向Ｘへ延びる両端縁２１，２２と、縦方向Ｙへ直状に延びる両側縁２３，２４とから画成された略扁平状の外形ライン（外周縁２０ａ）を有し、説明の便宜上、縦軸Ｐから第１側縁２３側へ延びる第１区域２０Ａと、縦軸Ｐから第２側縁２４側へ延びる第２区域２０Ｂとに区分されている。また、パッド本体２０は、上下端部と両側縁部とが互いに交差する隅部２９を有する。ここで、隅部２９は、パッド本体２０の四隅に位置する部分であることのほかに、止着域４０から外方へ延びる部分（後記の外周フラップ６０と吸液層３０の一部とを含む）を意味する。
【００２０】
図３を参照すると、パッド本体２０は、吸液層３０の肌対向面側に位置する内面シート２６と、吸液層３０の非肌対向面側に位置する外面シート２７と、外面シート２７と吸液層３０との間に位置する防漏シート２８とを有する。
【００２１】
内面シート２６は、透液性の繊維不織布、多孔性プラスチックフィルム又はそれらのラミネートシートから形成されており、好ましくは、質量１０〜４０ｇ／ｍ２のエアスルー繊維不織布、ＳＭＳ繊維不織布、スパンボンド繊維不織布を用いることができる。また、防漏シート２８は、不透液性であって、好ましくは透湿性を有するプラスチックフィルムや繊維不織布から形成されており、外面シート２７は、好ましくは透湿性を有する、不透液性の繊維不織布であって、例えば、質量１０〜４０ｇ／ｍ２のＳＭＳ繊維不織布、スパンボンド繊維不織布等が好適に使用される。
【００２２】
吸液層３０は、パッド本体２０とほぼ同形であって、縦方向Ｙへ延びる両側縁と横方向Ｘへ延びる両端縁とからなる外周縁３０ａを有し、フラッフ木材パルプや超吸収性ポリマー粒子（ＳＡＰ）の混合物からなる吸収性コア３１と、吸収性コア３１を包被する、ティッシュペーパや液拡散性を有する繊維不織布から形成されたコアラップシート３２とを含む。吸収性コア３１とコアラップシート３２とは、それらの対向面の一方に塗布されたホットメルト接着剤（図示せず）を介して互いに接合されている。コアラップシート３２によって吸収性コア３１が包被されていることから、吸収性コア３１を保形することができるとともに、乳首から分泌された母乳を速やかに吸収性コア３１全体に拡散させることができる。なお、図示していないが、コアラップシート３２は、吸収性コア３１を包被する１枚のシートではなく、吸収性コア３１の肌対向面側に位置する第１シートと、吸収性コア３１の非肌対向面側に位置して第１シートを被覆する第２シートとからなる複数のシートから形成されていてもよい。
【００２３】
外面シート２７は、防漏シート２８よりも横方向Ｘの寸法が大きく、防漏シート２８の両側縁から横方向Ｘの外側へ延出する部分が該両側縁に沿って内方へ折り曲げられることによって形成された一対の折曲部（外側縁部）２７ａを有する。折曲部２７ａは、対向する外面シート２７の一部と防漏シート２８とにホットメルト接着剤（図示せず）を介して固定されている。また、一対の折曲部２７ａには、折曲ラインに沿って縦方向Ｙへ延びる弾性体５１が伸長状態で収縮可能に取り付けられている。弾性体５１には、ストリング状又はストランド状の弾性材料を好適に用いることができ、例えば、弾性体５１として天然ゴム又は合成ゴム製の太さ約４８０〜９４０ｄｔｅｘの弾性糸を使用し、１．５〜２．５倍に伸長された状態で取り付けていてもよい。
【００２４】
パッド本体２０の両側縁部において、縦方向Ｙへ延びる弾性体５１が配置されていることによって、両側縁部には複数のギャザーが形成されている。また、弾性体５１が収縮することによって、パッド本体２０が湾曲状を呈するので、使用するときにブラジャー等の下着のカップ部の形状に沿い易くなり、着用者の乳房を包み込むようにフィットさせることができる。図示例においては、弾性体５１は単数条の弾性材料から形成されているが、パッド本体２０を確実に湾曲させるために、複数条の弾性材料から形成されていてもよいし、テープ状(リボン状)の弾性材料を配置してもよい。
【００２５】
内面シート２６と外面シート２７とは、吸液層３０の外周から延出した延出部分を有し、それらの延出部分が対向面に塗布されたホットメルト接着剤からなる接合部５２を介して互いに接合されることによって、吸液層３０の外周には、内面シート２６の延出部分と外面シート２７の延出部分とから形成された外周フラップ６０が位置している。
【００２６】
止着域４０は、横方向Ｘへ延びる両端縁４０ａ，４０ｂと、縦方向Ｙへ延びる両側縁４０ｃ，４０ｄとから画成された矩形状を有する。止着域４０は、さらに、縦方向Ｙへ連続して延び、かつ、横方向Ｘにおいて互いに離間する複数条の止着部４２と、止着部４２間に位置する複数の離間部分４３とを有する。各止着部４２は、粘着剤や感圧性接着剤から形成されており、例えば、止着部４２を被覆するセパレータ７０の内面にフッ素系又はシリコン系の離型剤を塗布することで、止着部４２を保護してセパレータ７０の剥離を容易にすることができる。
【００２７】
図４は、パッド本体２０の第１区域２０Ａの拡大平面図である。重複した説明を省略するために、以下において、パッド本体２０の第１区域２０Ａの構成についてのみ説明するが、第２区域２０Ｂ側においても第1区域２０Ａと同様の構成及びそれによる技術的効果を奏することを理解されたい。
【００２８】
図４を参照すると、本実施形態において、止着部４２の一部は、パッド本体２０の隅部２９と対向して位置しており、縦軸Ｐと横軸Ｑとが互いに交差する中心点Ｏから両側縁２３，２４までの離間寸法の中間点Ｎ１よりも横方向Ｘの外側に位置し、かつ、中心点Ｏから両端縁２１，２２までの離間寸法の中間点Ｍ１，Ｍ２よりも縦方向Ｙの外側に位置している。具体的には、止着部４２のうちで中心点Ｏから最も離れた部位である遠位部位４１が、吸液層３０の外周縁３０ａ内であって中間点Ｎ１よりも横方向Ｘの外側、かつ、中間点Ｍ１，Ｍ２よりも縦方向Ｙの外側の領域Ｓ１，Ｓ２（図４において、斜線で示した領域）内に位置している。
【００２９】
再び、図３を参照すると、離間部分４３は、第１離間部分４３Ａと、第１離間部分４３Ａの横方向Ｘの外側に位置する第２離間部分４３Ｂとを有し、第２離間部分４３Ｂの横方向Ｘの寸法Ｗ２が第１離間部分４３Ａの横方向Ｘの寸法Ｗ１よりも大きくなっている。両寸法Ｗ１，Ｗ２がかかる相関関係を有することによって、中心点Ｏ側において隣り合う止着部４２どうしが、横方向Ｘの外側において隣り合う止着部４２どうしよりも近接して位置することになるので、乳首と対向する、分泌された母乳が吸液層３０に最も吸収されるパッド本体２０の中央部における止着強度を高めることができる。
【００３０】
また、止着域４０の離間部分４３の横方向Ｘの寸法Ｗ１，Ｗ２は、少なくとも５ｍｍであることが好ましい。寸法Ｗ１，Ｗ２が５ｍｍ未満の場合には、止着部４２どうしが互いに近接して位置することになるので、母乳パッド１０の使用後に、止着域４０を剥離し難くなるとともに、パッド本体２０の透湿性が低下して、内部が蒸れてしまうおそれがある。
【００３１】
止着部４２は、第１止着部４２Ａと、第１止着部４２Ａの横方向Ｘの外側に位置する第２止着部４２Ｂとを有し、第２止着部４２Ｂの横方向Ｘの寸法Ｗ４が第１止着部４２Ａの横方向Ｘの寸法Ｗ３よりも大きくなっている。両寸法Ｗ３，Ｗ４がかかる相関関係を有することによって、止着域４０の両側に比較的に幅広の止着領域が形成されるので、着用中における、止着域４０の両側縁４０ｃ，４０ｄからの剥離を抑制することができる。本実施形態のように、パッド本体２０の止着強度や透湿性を考慮して、止着部４２と離間部分４３との横方向Ｘの寸法Ｗ１〜Ｗ４を調整してもよいが、各止着部４２間及び各離間部分４３間において、すべての横方向Ｘの寸法が同じであってもよいし、互いに相違するものであってもよい。また、図示例では、止着域４０は、４つの止着部４２が配置されているが、それ以下又はそれ以上の数の止着部４２が配置されていてもよい。
【００３２】
図５は、キャミソールタイプの下着８０に本実施形態に係る母乳パッド１０の止着域４０を下着８０の内面に貼付して、透明プラスチック製のドール９０に装着した様子を示す図である。ドール９０は、少なくとも女性の上半身部分を有し、乳房９１と乳首９２とを備える。
【００３３】
図５を参照すると、近年、若い女性を中心に、授乳のしやすさや使用の利便性を考慮して、ブラジャーに代わって、キャミソールタイプの下着８０に直接母乳パッドを貼付して使用することがある。下着８０は、上身頃部８１と下身頃部８２とを有し、上身頃部８１は、着用者の肩部に掛ける前身上部８３，８４と、乳房を被覆する被覆部８５とを有する。ブラジャーの場合には、授乳する度に、前面又は背面側に位置する係止具の着脱操作を行う必要があり手間であるが、下着８０の場合には、一方の前身上部８３，８４を肩からずらすように引き下げることによって乳房を露出させることができるので、ブラジャーを使用する場合に比べて容易に授乳を繰り返して行うことができる。また、ブラジャーのように金属製のワイヤー部分やフック部分を有しないことから、全体的に柔軟であって、身体が締め付けられるように圧迫感を感じることなく、着用感に優れる。しかしながら、ワイヤー等を使用して安定的なカップ形状を呈するブラジャーと異なり、被覆部８５全体が布地から形成されて柔軟であることから、母乳パッドを取り付けた状態において、授乳操作中にその形状が変形するおそれがある。
【００３４】
図６（ａ）〜（ｃ）は、下着８０の被覆部８５の内面に止着域１４０を介して従来の母乳パッド１００を貼付して、下着８０をドール９０に着用させ、ドール９０（着用者）側から母乳パッド１００を視た図である。なお、図６，７の各図は、ドール９０に母乳パッド１０，１００を着用させて着用操作時における動きを観察（シミュレーション）したものであり、ドール９０と対面する操作者の両手の指先９５によって再着用操作が行われている。したがって、実際に使用する場合には、着用者自らが両手で操作することになるので、図示された態様と異なり、着用者の親指が被覆部８５の内面に当接するように把持されることを理解されたい。また、図６，７の各図において、説明の便宜上、母乳パッド１０，１００の各止着部４２，１４２Ａ〜１４２Ｃのうちの一部の止着部４２Ｂ，１４２Ｂのみを仮想線で示している。
【００３５】
まず、授乳を行うときには、一方の前身上部８３を引き下げて乳房９１を露出し、乳児に乳首９２を咥えさせる。図６（ａ）を参照すると、授乳後には、一方の前身上部８３を肩に引っ掛ける前に、両手で被覆部８５を把持して下着８０ごと従来の母乳パッド１００を乳房９１に向かって引き上げる。そのとき、従来の母乳パッド１００においては、パッド本体１２０の横方向Ｘの中央部にのみ止着域１４０が位置していることから、パッド本体１２０の上下端部及び両側部が被覆部８５に止着されておらず、パッド本体１２０の一部、特に隅部１２９を起点として内方へ折れ曲がってしまったり、捲れ上がったりしてしまうことがある。具体的には、止着域１４０の各止着部１４２Ａ〜１４２Ｃの側縁を界面としてそれよりも横方向Ｘの外側に位置する非止着部分１１１が、被覆部８５の変形や非止着部分１１１と被覆部８５との間に指先９５が入り込むこと等によって折れ曲がっている。
【００３６】
図６（ｂ）を参照すると、このように、パッド本体１２０の一部が折れ曲がった状態のまま乳房９１に向かって引き上げることによって、折れ曲がった部分の外面側に突出した乳首９２が当接した状態となる。図６（ｃ）を参照すると、かかる状態のまま着用すると、乳首９２が母乳パッド１０の外に位置することになるので、乳首９２から分泌される母乳が下着８０に付着してしまったり、着用者に違和感や不快感を与えてしまうおそれがあり、着用者は、それを解消するために、着用操作をやり直す必要があり、手間である。
【００３７】
図７（ａ）〜（ｃ）は、本実施形態に係る母乳パッド１０を下着８０の被覆部８５の内面に取り付けて使用した場合の態様を示す、ドール（着用者）９０の側から母乳パッド１０を視た図である。図７（ａ）を参照すると、授乳後に、操作者（着用者）が両手で一方の被覆部８５を乳房９１に向かって引き上げるときに、母乳パッド１０の止着部４２の一部である遠位部位４１がパッド本体２０の隅部２９と対向する所定の位置にあることから、止着部４２の側縁を界面としてその横方向Ｘの外側に位置する非止着部分が折れ曲がったり捲れ上がったりせずに、パッド本体２０の上下端部及び両側縁部が被覆部８５から離間していない。したがって、被覆部８５を把持する手の指先９５が母乳パッド１０と被覆部８５の間に入り込むことはなく、指先によって押さえられることによってその近傍の部分が下着８０とともに変形して乳房９１へ向かって隆起した状態となっている。
【００３８】
図７（ｂ）を参照すると、かかる状態のまま被覆部８５を乳房９１に向かって引き上げると、突出した乳首９２に隆起部分１９が当接するものの、そのまま乳首９２が乗り上がるように摺接されて母乳パッド１０の中央部分に対向位置させることができる。図７（ｃ）を参照すると、かかる状態のまま着用することによって、乳首９２から分泌された母乳が母乳パッド１０の中心点Ｏ近傍において吸収、拡散されるので、母乳が被覆部８５に付着することはなく、また、着用者に違和感や不快感を与えることはない。したがって、着用操作をやり直す必要はなく、確実に１度の操作で適正な着用状態とすることができる。
【００３９】
このように、本実施形態に係る母乳パッド１０において、止着部４２の側縁を界面としてそれよりも横方向Ｘの外側に位置する非止着部分が折れ曲がったり捲れ上がることなく、パッド本体２０の下端部及び両側縁部が被覆部８５から離間しない第１の理由として、折れ曲がり起点となる、フラップ状の隅部２９が下着８０から浮き上ることを抑制できていることが考えられる。すなわち、止着域４０の一部である遠位部位４１を横軸Ｑ上において、縦軸Ｐと横軸Ｑとが互いに交差する中心点Ｏから両側縁２３，２４までの離間寸法の中間点Ｎ１よりも横方向Ｘの外側に位置し、かつ、中心点Ｏから両端縁２１，２２までの離間寸法の中間点Ｍ１，Ｍ２よりも縦方向Ｙの外側に位置（領域Ｓ１，Ｓ２内に位置）させることで、隅部２９の下着８０からの浮き上りが効果的に抑制されたことが考えられる。
【００４０】
また、第２の理由としては、各止着部４２が縦方向Ｙへ延びていることから、それらが横方向Ｘへ延びている場合に比べてパッド本体２０は縦方向Ｙへの剛性が高くなっており、縦方向Ｙへ延びる折曲ラインが形成され難くなっている。そのために、パッド本体２０の一部の折れ曲がりや捲れ上がりが抑制されていることが考えられる。
【００４１】
再び、図４を参照すると、中心点Ｏからパッド本体２０の両端部と両側縁部とが互いに交差する隅部２９へ向かって延び、かつ、止着部４２の遠位部位４１を通過してパッド本体２０の外周縁２０ａまで延びる仮想線Ｋ１，Ｋ２上において、遠位部位４１から外周縁２０ａまでの離間寸法Ｒ２が、中心点Ｏから外周縁２０ａまでの離間寸法Ｒ１の１５〜５０％の大きさであることが好ましい。遠位部位４１が、外周縁に近接するほどに隅部２９が下着８０に止着されて折れ曲がりを防止することができる一方、使用後に、下着８０から取り外すときに、隅部２９を摘持することができず、取り外し操作がし難くなるとともに、指先に粘着剤の一部が付着してしまうおそれがある。本実施形態においては、離間寸法Ｒ２が離間寸法Ｒ１の１５〜５０％の大きさであって、遠位部位４１が隅部２９から一定程度離間していることから、取り外しするときに隅部２９を摘持して止着域４０を容易に剥離することができるとともに、指先に粘着剤の一部が付着することもない。離間寸法Ｒ２が離間寸法Ｒ１の１５％以下の大きさの場合には、遠位部位４１がパッド本体２０の外周縁に比較的に近接して位置することになるので、取り外すときに既述のような不利益が生じるおそれがある一方、離間寸法Ｒ１が離間寸法Ｒ２の５０％以上の大きさである場合には、再着用するときに、隅部２９が浮き上がって折れ曲がりの起点となるおそれがある。
【００４２】
また、吸液層３０の外周縁から外方に延びる外周部分が吸液層３０と同じ厚さであって、同程度の剛性を有する場合には、外周部分が肌に触れることによって刺激を与えるおそれがあるので、本実施形態のように、吸液層３０の外周において、シート部材のみからなり、比較的に肉薄かつ剛性の低い外周フラップ６０が位置することが好ましい。このように、外周フラップ６０が肌に対する緩衝材としての役割を果たす一方、外周フラップ６０が比較的に幅広の場合には、着用中に乳首９２の位置がずれたときに、外周フラップ６０に移動して分泌された母乳が外部に漏れ出てしまうおそれがある。
【００４３】
本実施形態においては、止着部４２の外周縁（前後端縁４０ａ，４０ｂ及び両側縁４０ｃ，４０ｄ）が吸液層３０の外周縁３０ａから離間している。止着部４２の一部が吸液層３０の外周縁３０ａと重なる場合には、吸液層３０と外周フラップ６０との剛性差と相俟って、止着されていない隅部２９が着用操作時において折れ曲がりやすくなるところ、隅部２９に吸液層３０の一部が含まれることによって止着部４２と隅部２９との界面における剛性差が生じることなく、かかる折れ曲がりを抑制することができる。また、隅部２９に剛性のある吸液層３０の一部が含まれることによって、それを折れ曲げようとする力が作用しても反撥して、図７（ｂ）に示すように、隆起した形状に変形される。
【００４４】
また、パッド本体２０の外周縁２０ａと止着域４０の外周縁との離間寸法が３０ｍｍ以下である。かかる離間寸法が３０ｍｍを超える場合には、止着部４２の遠位部位４１が、パッド本体２０において適正に位置、すなわち、領域Ｓ１，Ｓ２内に位置していたとしても、再着用操作時に、パッド本体２０の一部が被覆部８５から浮き上って折れ曲がってしまうおそれがある。
【００４５】
パッド本体２０は、止着部４２の遠位部位４１から吸液層３０の外周縁３０ａまでの離間寸法Ｒ３を有する。既述のとおり、遠位部位４１が吸液層３０の外周縁３０ａから離間していることによって、止着部４２と隅部２９との界面に剛性差が生じることなく、隅部２９の折れ曲がりや捲れ上がりを抑制することができる。また、離間寸法Ｒ３よりも吸液層３０の外周縁３０ａからパッド本体２０の外周縁２０ａまでの離間寸法Ｒ４の方が大きくなっている。このように、離間寸法Ｒ４が相対的に大きいことによって、外周フラップ６０が十分に肌に対する緩衝部分として機能するとともに、剥離するときに外周フラップ６０を摘持することができ、かつ、それよりも幅狭であるが厚みのある吸液層３０の存在域の一部が非止着部分であるので、その内面に指先又は爪先が僅かに当たり、引き上げるときに安定して剥離を行うことができる。特に、着用者である母親は、片手で乳児を抱えたまま他方の手で母乳パッド１０の交換作業を行うことがあり、かかる場合には、瞬時に、かつ、安定的に外周フラップ６０を摘持して引っ張り上げる必要があるので、より効果的である。
【００４６】
止着域４０は、縦方向Ｙへ延びる複数条の止着部４２と複数条の離間部分４３とによって形成されていることから、止着部４２が全域に位置する場合に比べて透湿性が高く、中心点Ｏを中心とする吸液層３０内の仮想円内（６０φ）の透湿度が、少なくとも７００ｇ／ｃｍ２・２４ｈｒである。パッド本体２０が、内面シート２６、外面シート２７、吸液層３０、防漏シート２８から複層構造を有するにも関わらず、一定の透湿度を有することから、母乳が吸液層３０に速やかに吸収されるとともに、母乳パッド１０の内部が蒸れて汗疹等の肌トラブルを生じるおそれはない。透湿度の測定は、ＪＩＳ  Ｚ  ０２０８の透湿度試験方法に準拠して行う。
【００４７】
＜変形例＞
図９は、変形例の一例における、図２と同様の母乳パッド１０の外面側の平面図である。本変形例に係る母乳パッド１０の基本構造は、本実施形態に係る母乳パッド１０のそれと同様であるので、相違する点についてのみ以下に説明する。
【００４８】
本変形例においては、止着部４２が、縦方向Ｙへ並ぶ第１及び第２止着ライン４７，４８とそれらの間に位置する第３離間部分４９とを有する。第３離間部分４９は、第１離間部分４３Ａ及び第２離間部分４３Ｂよりも幅狭であって、例えば、その横方向Ｘの寸法は、１〜３ｍｍである。このように、止着部４２が、僅かに離間した複数の止着ライン４７，４８から形成されていることによって、パッド本体２０の止着強度を維持しつつ、透湿性及び柔軟性を向上させることができる。また、止着強度に影響のない範囲内で第３離間部分４９を設けて止着部４２全体を幅広とすることによって、少量の接着材料で広い範囲に止着領域を形成することができ、材料コストを抑えることができる。なお、図示例では、すべての止着部４２が複数の止着ライン４７，４８から形成されているが、一部の止着部４２のみがかかる構成を有していてもよい。
【００４９】
母乳パッド１０を構成する部材には、特に明記されていない限りにおいて、本明細書に記載されている材料のほかに、この種の分野において通常用いられている公知の材料を制限なく用いることができる。また、本明細書において使用されている「第１」及び「第２」等の用語は、同様の要素、位置等を単に区別するために用いてある。
【符号の説明】
【００５０】
１０  母乳パッド
２０  パッド本体
２１  パッド本体の端縁
２２  パッド本体の端縁
２３  パッド本体の側縁
２４  パッド本体の側縁
２６  内面シート
２７  外面シート
２８  防漏シート
３０  吸液層
４０  止着域
４１  止着部のうちで中心点から最も遠い部位（遠位部位）
４２  止着部
４３  離間部分
４７，４８  止着ライン
４９  第３離間部分
Ｋ  中心点から角部を通過して交差部位まで延びる仮想線
Ｍ１，Ｍ２  中心点とパッドの端縁との中間点
Ｎ１  中心点とパッドの側縁との中間点
Ｏ  中心点
Ｐ  縦軸
Ｑ  横軸
Ｗ１  第１離間部分の横方向の寸法
Ｗ２  第２離間部分の横方向の寸法
Ｗ３  第１止着部の横方向の寸法
Ｗ４  第２止着部の横方向の寸法
Ｘ  横方向
Ｙ  縦方向
【要約】
【課題】下着等に安定的に止着することができるとともに、着用操作中にパッド本体の一部が折れ曲がったり、捲れたりすることのない母乳パッドの提供。
【解決手段】パッド本体２０の外面に位置する止着域４０は、吸液層３０の存在域において、縦方向Ｙへ連続して延び、かつ、横方向Ｘにおいて互いに離間する複数の止着部４２を有する。止着部４２の一部が、縦軸Ｐと横軸Ｑとが交差する中心点Ｏとパッド本体２０の両側縁２３，２４との中間点Ｎ１よりも横方向Ｘの外側に位置し、かつ、中心点Ｏとパッド本体２０の両端縁２１，２２との中間点Ｍ１，Ｍ２よりも縦方向Ｙの外側に位置する。
【選択図】図４【図１】
0005969156.tif 000002
【図２】
0005969156.tif 000003
【図３】
0005969156.tif 000004
【図４】
0005969156.tif 000005
【図５】
0005969156.tif 000006
【図６】
0005969156.tif 000007
【図７】
0005969156.tif 000008
【図８】
0005969156.tif 000009
【図９】
0005969156.tif 000010